【手続補正書】
【提出日】平成22年9月21日(2010.9.21)
【手続補正１】
【補正対象書類名】特許請求の範囲
【補正対象項目名】全文
【補正方法】変更
【補正の内容】
【特許請求の範囲】
【請求項１】
光源を有するフロントライトユニットと、
前記光源から提供される光を用いて画像を表示し、１つの開口部を有する複数のカラーフィルタが形成された液晶表示パネルとを有し、
前記光源が青色ＬＥＤ及びＹＡＧを用いたホワイトＬＥＤモジュールであって、
青色カラーフィルタ、緑色カラーフィルタ、赤色カラーフィルタの順に前記開口部の大きさが小さくなることを特徴とする液晶表示装置。
【請求項２】
光源を有するフロントライトユニットと、
前記光源から提供される光を用いて画像を表示し、１つの開口部を有する複数のカラーフィルタが形成された液晶表示パネルとを有し、
前記光源が青色ＬＥＤ及びＹＡＧを用いたホワイトＬＥＤに赤色及び緑色の蛍光体をさらに形成した赤色緑色蛍光体ＬＥＤモジュールであって、
相異なる前記カラーフィルタに形成された前記開口部間の大きさの差が２０％以内に形成されることを特徴とする液晶表示装置。
【請求項３】
光源を有するフロントライトユニットと、
前記光源から提供される光を用いて画像を表示し、１つの開口部を有する複数のカラーフィルタが形成された液晶表示パネルとを有し、
前記光源が青色、緑色、赤色を発光する各々のＬＥＤを用いた３色ＬＥＤモジュールであって、
相異なる前記カラーフィルタに形成された前記開口部間の大きさの差が２０％以内に形成されることを特徴とする液晶表示装置。
【請求項４】
前記液晶表示パネルは、画像を表示するために反射光を用いることを特徴とする請求項１乃至３のいずれか１項に記載の液晶表示装置。
【請求項５】
前記カラーフィルタは、各色毎に透過領域と反射領域とを有することを特徴とする請求項１乃至３のいずれか１項に記載の液晶表示装置。
【請求項６】
前記カラーフィルタは、各色毎に反射領域を備え、該反射領域にある開口部は反射領域全体に渡って均等に形成されることを特徴とする請求項２に記載の液晶表示装置。
【請求項７】
光源を有するフロントライトユニットと、
前記光源から提供される光を用いて画像を表示し、１つの開口部を有する複数のカラーフィルタが形成された液晶表示パネルとを有し、
前記光源が青色ＬＥＤ及びＹＡＧを用いたホワイトＬＥＤモジュールであって、
青色カラーフィルタ、緑色カラーフィルタ、赤色カラーフィルタの順にカラーフィルタが色感を向上させる程度が増加することを特徴とする液晶表示装置。
【請求項８】
光源を有するフロントライトユニットと、
前記光源から提供される光を用いて画像を表示し、１つの開口部を有する複数のカラーフィルタが形成された液晶表示パネルとを有し、
前記光源が青色ＬＥＤ及びＹＡＧを用いたホワイトＬＥＤに赤色及び緑色の蛍光体をさらに形成した赤色緑色蛍光体ＬＥＤモジュールであって、
相異なる前記カラーフィルタ間での色感を向上させる程度の差が２０％以内であることを特徴とする液晶表示装置。
【請求項９】
光源を有するフロントライトユニットと、
前記光源から提供される光を用いて画像を表示し、１つの開口部を有する複数のカラーフィルタが形成された液晶表示パネルとを有し、
前記光源が青色、緑色、赤色を発光する各々のＬＥＤを用いた３色ＬＥＤモジュールであって、
相異なる前記カラーフィルタ間での色感を向上させる程度の差が２０％以内であることを特徴とする液晶表示装置。
【請求項１０】
前記液晶表示パネルは、画像を表示するために反射光を用いることを特徴とする請求項７乃至９のいずれか１項に記載の液晶表示装置。
【請求項１１】
前記カラーフィルタは、透過領域と反射領域とを有することを特徴とする請求項７乃至９のいずれか１項に記載の液晶表示装置。
【請求項１２】
前記透過領域のカラーフィルタの物質と前記反射領域のカラーフィルタの物質とは相異することを特徴とする請求項１１に記載の液晶表示装置。
【請求項１３】
前記反射領域のカラーフィルタは、少なくとも１つの開口部を有することを特徴とする請求項１１に記載の液晶表示装置。
【手続補正２】
【補正対象書類名】明細書
【補正対象項目名】０００５
【補正方法】変更
【補正の内容】
【０００５】
上記目的を達成するためになされた本発明による液晶表示装置は、光源を有するフロントライトユニットと、前記光源から提供される光を用いて画像を表示し、１つの開口部を有する複数のカラーフィルタが形成された液晶表示パネルとを有し、前記光源が青色ＬＥＤ及びＹＡＧを用いたホワイトＬＥＤモジュールであって、青色カラーフィルタ、緑色カラーフィルタ、赤色カラーフィルタの順に前記開口部の大きさが小さくなることを特徴とする。
また、上記目的を達成するためになされた本発明による液晶表示装置は、光源を有するフロントライトユニットと、前記光源から提供される光を用いて画像を表示し、１つの開口部を有する複数のカラーフィルタが形成された液晶表示パネルとを有し、前記光源が青色ＬＥＤ及びＹＡＧを用いたホワイトＬＥＤに赤色及び緑色の蛍光体をさらに形成した赤色緑色蛍光体ＬＥＤモジュールであって、相異なる前記カラーフィルタに形成された前記開口部間の大きさの差が２０％以内に形成されることを特徴とする。
また、上記目的を達成するためになされた本発明による液晶表示装置は、光源を有するフロントライトユニットと、前記光源から提供される光を用いて画像を表示し、１つの開口部を有する複数のカラーフィルタが形成された液晶表示パネルとを有し、前記光源が青色、緑色、赤色を発光する各々のＬＥＤを用いた３色ＬＥＤモジュールであって、相異なる前記カラーフィルタに形成された前記開口部間の大きさの差が２０％以内に形成されることを特徴とする。
【手続補正３】
【補正対象書類名】明細書
【補正対象項目名】０００６
【補正方法】変更
【補正の内容】
【０００６】
前記液晶表示パネルは、画像を表示するために反射光を用いることが好ましい。
前記カラーフィルタは、各色毎に透過領域と反射領域とを有することが好ましい。
前記カラーフィルタは、各色毎に反射領域を備え、該反射領域にある開口部は反射領域全体に渡って均等に形成されることが好ましい。
【手続補正４】
【補正対象書類名】明細書
【補正対象項目名】０００７
【補正方法】変更
【補正の内容】
【０００７】
また、上記目的を達成するためになされた本発明による液晶表示装置は、光源を有するフロントライトユニットと、前記光源から提供される光を用いて画像を表示し、１つの開口部を有する複数のカラーフィルタが形成された液晶表示パネルとを有し、前記光源が青色ＬＥＤ及びＹＡＧを用いたホワイトＬＥＤモジュールであって、青色カラーフィルタ、緑色カラーフィルタ、赤色カラーフィルタの順にカラーフィルタが色感を向上させる程度が増加することを特徴とする。
また、上記目的を達成するためになされた本発明による液晶表示装置は、光源を有するフロントライトユニットと、前記光源から提供される光を用いて画像を表示し、１つの開口部を有する複数のカラーフィルタが形成された液晶表示パネルとを有し、前記光源が青色ＬＥＤ及びＹＡＧを用いたホワイトＬＥＤに赤色及び緑色の蛍光体をさらに形成した赤色緑色蛍光体ＬＥＤモジュールであって、相異なる前記カラーフィルタ間での色感を向上させる程度の差が２０％以内であることを特徴とする。
また、上記目的を達成するためになされた本発明による液晶表示装置は、光源を有するフロントライトユニットと、前記光源から提供される光を用いて画像を表示し、１つの開口部を有する複数のカラーフィルタが形成された液晶表示パネルとを有し、前記光源が青色、緑色、赤色を発光する各々のＬＥＤを用いた３色ＬＥＤモジュールであって、相異なる前記カラーフィルタ間での色感を向上させる程度の差が２０％以内であることを特徴とする。
【手続補正５】
【補正対象書類名】明細書
【補正対象項目名】０００８
【補正方法】変更
【補正の内容】
【０００８】
前記液晶表示パネルは、画像を表示するために反射光を用いることが好ましい。
前記カラーフィルタは、透過領域と反射領域とを有することが好ましい。
前記透過領域のカラーフィルタの物質と前記反射領域のカラーフィルタの物質とは相異することが好ましい。
前記反射領域のカラーフィルタは、少なくとも１つの開口部を有することが好ましい。